(57)【要約】  ハウジング８１と、それぞれの部分８２ａ、８２ｂ、８２ｃ、８２ｄを有していてもよい可撓性ディスプレイとを備える電子装置が開示されている。これらの部分はそれぞれのヒンジ８４ａ、８４ｂ、８４ｃ、８４ｄの間に収容できる。これらヒンジは第１の機械的に安定な位置と第２の機械的に安定な部分の間の移行を可能にするための機構として構成される。ディスプレイは方向８５から観察される。ヒンジ群は相互独立に操作され、可撓性ディスプレイのハウジング８１に対する複数個の角度をとることが可能である。【選択図】８
2010530553.tif 000002
【特許請求の範囲】
【請求項１】
電子装置であって、
ハウジングと、
前記ハウジングに対して変位可能に適合された可撓性ディスプレイであって、第１の機械的に安定な位置および第２の機械的に安定な位置を有する可撓性ディスプレイと、
前記第１の機械的に安定な位置と前記第２の機械的に安定な位置との間の少なくとも移行を可能にするために配設された機構とを備え、前記第１の機械的に安定な位置と前記第２の機械的に安定な位置とは前記可撓性ディスプレイまたは前記可撓性ディスプレイの一部分が前記ハウジングに対して異なる複数個の角度をとることを許容することを特徴とする電子装置。
【請求項２】
前記第１の機械的に安定な位置は第１の観察位置に対応し、前記第２の機械的に安定な位置は第２の観察位置に対応することを特徴とする請求項１記載の電子装置。
【請求項３】
前記機構は弾性ロック部と協働するように配設されていることを特徴とする請求項１または２記載の電子装置。
【請求項４】
前記機構は双安定または多安定構成を備えることを特徴とする請求項1〜４のいずれか一項記載の電子装置。
【請求項５】
前記機構は、前記第１の機械的に安定な位置と前記第２の機械的に安定な位置との間の中間位置から前記第１の機械的に安定な位置に向けてまたは前記第２の機械的に安定な位置に向けて前記可撓性ディスプレイを駆動するためのモジュールを備えることを特徴とする請求項１〜４のいずれか一項記載の装置。
【請求項６】
前記モジュールは、前記可撓性ディスプレイが少なくとも前記第１の機械的に安定な位置と前記第２の機械的に安定な位置との間にあるときにエネルギーを貯蔵し、前記可撓性ディスプレイが前記第１の機械的に安定な位置に向けてまたは前記第２の機械的に安定な位置に向けて移動しているときにエネルギーを放出するように配設されていることを特徴とする請求項５記載の装置。
【請求項７】
前記モジュールはポテンシャルエネルギーを貯蔵するように配設されていることを特徴とする請求項５または６記載の装置。
【請求項８】
前記モジュールは弾性エネルギーを貯蔵するように配設された変形可能エレメントを備えることを特徴とする請求項７記載の装置。
【請求項９】
前記変形可能エレメントはばねを備えることを特徴とする請求項８記載の装置。
【請求項１０】
前記変形可能エレメントは弾性材料を備えることを特徴とする請求項８記載の装置。
【請求項１１】
前記可撓性ディスプレイは展開されるように構成され、前記モジュールは展開方向に実質的に平行にエネルギーを放出するように構成されていることを特徴とする請求項４〜１０のいずれか一項記載の装置。
【請求項１２】
前記可撓性ディスプレイは前記ハウジングに対して旋回されるように構成されており、前記ディスプレイまたはハウジングは凹部を備え、前記弾性ロック部は圧縮されて少なくとも、前記凹部を部分的に充填するように構成された弾性材料を備えることを特徴とする請求項３記載の装置。
【請求項１３】
前記可撓性ディスプレイは軸の周りに旋回されるように構成されており、前記機構は前記軸と協働するばねを配設され、前記移行を可能とするように構成されていることを特徴とする請求項４〜１０のいずれか一項記載の装置。
【請求項１４】
前記ばねは捻りばねであることを特徴とする請求項１３記載の装置。
【請求項１５】
前記可撓性ディスプレイはフレームを用いて前記ハウジングに対して滑動可能に構成され、前記モジュールは前記フレームと協働する引張ばねを備えることを特徴とする請求項４〜１０のいずれか一項記載の装置。  
【請求項１６】
前記可撓性ディスプレイは、少なくとも部分的に後退された状態と少なくとも部分的に延出された状態との間を移動されるように適合され、前記部分的に後退された状態と前記部分的に延出された状態は前記第１の機械的に安定な位置と前記第２の機械的に安定な位置とに対して実装されていることを特徴とする請求項１〜１５のいずれか一項記載の装置。
【請求項１７】
少なくとも１つの機械的に安定な位置が前記装置へのデータ入力を可能にするために配設されていることを特徴とする請求項１〜１６のいずれか一項記載の装置。
【請求項１８】
第１の機械的に安定な位置または第２の機械的に安定な位置に配置された前記可撓性ディスプレイと協働するように配置された照明部をさらに備えることを特徴とする請求項１〜１７のいずれか一項記載の装置。
【請求項１９】
前記第１の観察位置または前記第２の観察位置は少なくとも、部分的観察モードを可能にするように配置されていることを特徴とする請求項１〜１８のいずれか一項記載の装置。
【発明の詳細な説明】
【技術分野】
【０００１】
本発明は、一般に、ハウジングと、ハウジングに対して変位するように適合された可撓性ディスプレイとを備える装置であって、可撓性ディスプレイは第１および第２の機械的に安定な位置と、第１および第２の機械的に安定な位置の間の少なくとも移行を可能にするように構成された機構とを備える装置に関する。
【背景技術】
【０００２】
上記装置の一実施形態は国際出願公開第ＷＯ２００４／１１４２５９Ａ２号パンフレット（特許文献１）から知られている。この公知の装置は適切なハウジング内に収容される延出可能（ｅｘｔｅｎｄｉｂｌｅ）な、特に可撓性のディスプレイを有するディスプレイ装置を備える。例えば、ディスプレイはハウジング内に配置された適切なローラーの周りに巻きつけてもよい。この公知の装置のハウジングは、ハウジングからディスプレイを延出させることができるように適宜形成されている。ディスプレイは第１の機械的に安定な位置、特に収納位置および第２の機械的に安定な位置、特に観察位置に収容することができる。この公知の装置の特定の実施形態では、ハウジングは第１の機械的に安定な位置と第２の機械的に安定な位置の間の移行を可能にする機構、特にＸ−フレームを設けられている。
【先行技術文献】
【特許文献】
【０００３】
【特許文献１】国際出願公開第ＷＯ２００４／１１４２５９Ａ２号パンフレット
【発明の概要】
【発明が解決しようとする課題】
【０００４】
上述の公知の装置の欠点は、ユーザー・インターフェースの選択肢が限定されていることである。加えて、構成上、公知の機構はディスプレイに許容し得ない機械的衝撃が加わることがあり、脆弱な部品に損害を与えてしまうことがある。
【課題を解決するための手段】
【０００５】
本発明の目的は冒頭の段落において記載された装置において複数のユーザー・インターフェースを選択することができるようにすることである。
【０００６】
このために、本発明による装置では、第１の機械的に安定な位置および第２の機械的に安定な位置において可撓性ディスプレイまたはその部分がハウジングに対して異なる角度（ａｎｇｕｌａｔｉｏｎ）をとることが可能にされている。
【０００７】
特に有利であることがわかったのは、電子装置の可撓性ディスプレイおよびハウジング相互間の角度が種々異なることによりユーザー・インターフェースが適切に選択可能となる点である。例えば、可撓性ディスプレイがハウジングに対して異なる角度で固定可能であるようにし、ユーザーがディスプレイを観察すること、ディスプレイを部分的に観察すること、タッチセンサー方式でデータを入力するためにディスプレイを使用すること等を選択することが可能であると便利であることが分かる。好ましくは、第１の機械的に安定な位置は第１の観察位置に対応し、第２の機械的に安定な位置は第２の観察位置に対応する。第１の観察位置は、また、ハウジングに対する可撓性ディスプレイの一部の角度が第２の観察位置に対して異なる構成に対応するようにしてもよい。この特長により、三次元空間において可撓性ディスプレイの好適な機械的に安定な構成が容易に可能となり、それにより、例えば各別個の三次元構成について１つ以上の特定のユーザー・オプションが可能となる。
【０００８】
例えば、可撓性ディスプレイの一部がハウジングに対して好適に配置されると、ユーザーはバッテリー充電量、不在着信状態、着信メッセージまたはｅ−メール等の様な電子装置の状態をチェックすることが可能となる。可撓性ディスプレイのより大きな面積を観察可能である場合は、ユーザーは可撓性ディスプレイのタッチセンサー方式の機能を用いてデータを入力することが可能となる。また、可撓性ディスプレイの観察された部分における電子装置のユーザー・インターフェースのアイコンの適切な配置が可撓性ディスプレイの観察された部分の面積によって決まるようにすることも可能である。例えば、電子装置は、センサーであって好ましくは第１の機械的に安定な位置と第２の機械的に安定な位置のシステムと協働して可撓性ディスプレイの全面積のうちどの部分が使用されているかを検知するセンサーを備えていてもよい。アイコンとこれらのアイコンの選択とが可撓性ディスプレイの現在使用されている面積に依存してその部分に表示されるようにしてもよい。例えば、全面積の２０％といった小さい部分に対しては、状況を示すアイコンだけが表示される。より大きい面積に対しては、例えば、全面積の５０％より大きい場合は、実質的に全ての機能に関するアイコンが投影可能である。さらに、アイコンの大きさが可撓性ディスプレイの観察面積によって決まるようにすることも可能である。
【０００９】
例えば、第１の機械的に安定な位置と第２の機械的に安定な位置の間の移行を可能にする機構が弾性ロック部と協働するように配設されている。この技術的対策は弾性材料が衝撃減衰特性を有するという識見に基づいている。上述の第１の機械的に安定な位置と第２の機械的に安定な位置との間の少なくとも移行を可能にするために配設された機構と、弾性ロック部であって好ましくは第１の機械的に安定な位置または第２の機械的に安定な位置に上述の機構を固定するために配設された弾性ロック部とが確実に協働するようにすることによって、上述のロックの際に可撓性ディスプレイの表面に機械的衝撃が誘起されるのが防止される。これにより可撓性ディスプレイの耐久性が確実に向上する。
【００１０】
本発明による装置の一実施形態では、上述の機構は双安定または多安定構成を備える。双安定構成は２つの機械的に安定な状態を有する構造として理解されるべきである。多安定構成は２以上の機械的に安定な状態を有する構造として理解されるべきである。この目的のために好適な材料および構造を選択することが可能である。好適な構造の一実施形態はＸ−枠である。本発明による装置に双安定または多安定な構成を導入すると有利であることが分かっている。それは装置の脆弱な部品が第１の機械的に安定な位置と第２の機械的に安定な位置との間を移行する間の損傷を受ける危険が減少するからである。
【００１１】
本発明による装置のさらなる実施形態では、上述の機構は、第１の機械的に安定な位置と第２の機械的に安定な位置との間の中間位置から第１の機械的に安定な位置または第２の機械的に安定な位置に向けて変位可能部分を駆動するためのモジュールを備える。
【００１２】
この特長により、上述の安定な位置同士の間の移行の際に余分な力が上述の機構に加えられる。この力により第１の機械的に安定な位置と第２の機械的に安定な位置との間の方向の少なくとも部分的な自動的移行が可能になる。自動的移行によりロックされた部分が実質的に滑らかに開放されることを保証され、それにより装置の使いやすさが向上される。さらに、この特長により可撓性ディスプレイへの機械的衝撃が低減し、装置の耐久性が向上する。
【００１３】
好ましくは、モジュールは、可撓性ディスプレイが少なくとも第１の機械的に安定な位置または第２の機械的に安定な位置にあるときにエネルギーを貯蔵し、可撓性ディスプレイが第１の機械的に安定な位置または第２の機械的に安定な位置に向かって移動しているときにエネルギーを放出するように構成されている。さらに好ましくは、モジュールはポテンシャルエネルギーを貯蔵するように構成されている。このモジュールの好適な例は弾性エネルギーを貯蔵するように構成された変形可能なエレメントを備える。例えば、ばねを変形可能なエレメントとして使用することができる。好ましくは、可撓性ディスプレイはフレームを用いて相互に滑動可能に配置された変位可能部分を備え、モジュールは上述の機構と協働する引張ばねを備える。
【００１４】
本発明による装置のさらに別の実施形態では、可撓性ディスプレイは展開されるように構成され、モジュールは展開方向に実質的に平行にエネルギーを放出するように構成されている。
【００１５】
この技術的対策によると、可撓性ディスプレイの自動展開が可能となり、それにより片手だけで装置を展開することができるので使いやすさが向上される。さらに、可撓性ディスプレイの部品に対して機械的な衝撃が加わることがあってもその衝撃はこの特長により弱められる。
【００１６】
本発明の装置のさらに別の実施形態では、可撓性ディスプレイはハウジングに対して旋回されるように構成されており、ディスプレイまたはハウジングは凹部を備え、弾性ロック部は圧縮されて少なくとも、凹部を部分的に充填するように構成された弾性材料を備える。
【００１７】
この実施形態は第１の機械的に安定な位置および／または第２の機械的に安定な位置に可撓性ディスプレイを配置するための簡単かつ信頼性のあるユーザー・インターフェースを提供する。第１の機械的に安定な位置が第１の観察位置を指し、第２の機械的に安定な位置が第２の観察位置を指す場合は、２つの弾性ロック部と協働する２つの凹部（ｒｅｃｅｓｓ）を設けてもよい。あるいはまた、弾性ロック部は２つの凹部と協働するように大きさが決められるか、またはそれぞれの部分を含み、それによりハウジングに対して可撓性ディスプレイ（またはその部分）が異なる角度をとることが可能になる。
【００１８】
本発明による装置のさらに別の実施形態では、可撓性ディスプレイは軸の周りに旋回されるように構成されており、モジュールはこの軸と協働するばねを配設され、上述の移行を可能とするように構成されている。
【００１９】
この実施形態では、軸と協働するばねにより一方の機械的に安定な位置から他方の機械的に安定な位置への自動移行が可能となる。従って、装置は片手で操作することができ、装置のユーザー・インターフェースの選択肢が改善される。例えば、ばねは捻りばねとして構成される。例えば、捻りばねが第１の機械的に安定な状態、特に変位可能な部分の開位置に向けて圧縮されつつあるとき、ばねは弛緩されてゆき、そのとき変位可能な部分が第２の機械的に安定な状態に向けて移行してゆく。それにより電子装置の機械的部品に余分の内力が働き、それら部品を第２の機械的に安定な状態に向けてやんわりと押す。この特長により、さらに、可撓性ディスプレイの実質的に滑らかな移動が可能となり、それにより可撓性ディスプレイに対する不所望の、害になる可能性のある機械的衝撃が減少する。
【００２０】
可撓性ディスプレイは、少なくとも部分的に後退された状態と少なくとも部分的に延出された状態との間を移動され、部分的に後退された状態と部分的に延出された状態は第１の機械的に安定な位置と第２の機械的に安定な位置とのいずれか一方またはそれらの双方に対して実装されるように構成することもできる。あるいはまた、第１の機械的に安定な位置と第２の機械的に安定な位置とがハウジングに対する可撓性ディスプレイ（全体または部分）のそれぞれ異なる角度に対応するようにして、それにより異なる観察位置が可能となるようにしてもよい。これらの観察位置はそれぞれ全景観察を可能とする。本発明による好適な例は携帯電話、システム手帳、パームトップコンピュータ等である。そのような装置は片手で操作されることが好ましいものである。この装置に、該装置の操作部分の機械的に安定な位置を異なる角度または面において可能とする手段を設けることにより、ユーザー・インターフェースの観察の選択肢が実質的に改善され、ひいてはユーザーが装置と相互作用する可能性が追加される。
【００２１】
さらに、装置が可撓性電子ディスプレイを備える場合、機械的衝撃の危険が減少する。上述したようにこの課題に対する解決策を提供することにより改善された電子装置が提供される。
【００２２】
本発明の上記および他の態様が図面を参照してさらに詳細に説明される。
【図面の簡単な説明】
【００２３】
【図１ａ】図１ａは、弾性ロック部を備える本発明による装置の一実施の形態の概略図を示す。
【図１ｂ】図１ｂは、図１ａの装置の別の概略図を示す。
【図２ａ】図２ａは、弾性ロック部を備える本発明による装置の別の実施の形態の概略図を示す。
【図２ｂ】図２ｂは、図２ａの装置の別の概略図を示す。
【図３】図３は、駆動モジュールを備える本発明による装置の一実施の形態の複数の概略図を示す。
【図４】図４は、駆動モジュールを備える本発明による装置の別の実施の形態の概略図を示す。
【図５】図５は、駆動モジュールを備える本発明による装置のまた別の実施の形態の概略図を示す。
【図６】図６は、被覆可能なディスプレイを設けた装置の別の実施形態の概略図を示す。
【図７】図７は、回転可能なディスプレイを設けた装置の一実施形態の概略図を示す。
【図８】図８は、複数のヒンジを設けた装置の別の実施形態の概略図を示す。
【図９】図９は、複数のヒンジを設けた装置の別の実施形態の概略図を示す。
【図１０】図１０は、本発明による装置の別の実施形態の概略図を示す。
【図１１】図１１は、本発明による装置の別の実施形態の概略図を示す。
【図１２】図１２は、本発明による装置の別の実施形態の概略図を示す。
【発明を実施するための形態】
【００２４】
図１ａは、弾性ロック部を備える本発明による装置の一実施の形態の概略図を示す。電子装置１０は２つの相互に変位可能な部分２、４を備える。変位可能な部分２、４は第１の機械的に安定な位置Ａと第２の機械的に安定な位置Ｂとの間を移動するように適合されている−これら２つの位置の間の移行は模式的に矢印により示されている。部分２は可撓性ディスプレイに関係し、部分４は電子装置１０のハウジングに関係するようにすることができる。第１の機械的に安定な位置は装置１０の開状態に対応させることができ、第２の機械的に安定な位置は装置１０の閉状態に対応させることができる。あるいは、これらの逆であってもよい。択一的にまたは追加的に、第１の機械的に安定な位置が第１の観察位置に対応し、第２の機械的に安定な位置が第２の観察位置に対応するようにすることができる。第１の観察位置および第２の観察位置では部分的な景または全景の観察が可能となる。
【００２５】
部分２、４は好ましくは回転軸を規定している軸６を有するヒンジ３により相互に連結されているのが好ましい。本発明の一実施例によると、装置１０は、第１の機械的に安定な位置Ａと第２の機械的に安定な位置Ｂとの間の滑らかな移行が可能となるように構成された弾性ロック部５が設けられている。ヒンジ３は第１の機械的に安定な位置Ａと第２の機械的に安定な位置Ｂとの間の移行を可能とするための機構として働く。弾性ロック部５は適切な弾性材料、例えば金属等により実装することができ、凸部５ａを備える。凸部５ａは凹部５ｂと協働するように構成されている。図１ａの右側部分にはロック部５を分離してその概略が示されているが、これは開位置を示している。弾性ロック部５の弾性を適切に選択することにより、ロック部５の開位置とロック部５の閉位置との間の移行が、ロック部５が閉じているときにロック部５に貯蔵された弾性エネルギーを開放することで可能になる。例えば、ロック部５の材料はロック部が第１の機械的に安定な位置にあるとき（または、択一的に、第２の機械的に安定な位置にあるとき）の最小ポテンシャルエネルギーに相当する弛緩条件を有し、ポテンシャルエネルギーを貯蔵している状態から最小ポテンシャルエネルギーを持つ状態への移行がポテンシャルエネルギーの放出下に可能になる。第１の機械的に安定な位置と第２の機械的に安定な位置とが第１および第２の観察位置にそれぞれ対応する実施形態では、ロック手段５はタイプ５ａの２つの凸部を有していてもよく、これらはタイプ５ｂの２つの凹部とそれぞれ協働する。ロック部５をヒンジ３に対して適切に向けることにより、そのようなエネルギーの放出を用いて中間位置から機械的に安定な位置の一つに滑らかに到達することができ、それにより装置１０の部品に有害な機械的衝撃が加わる危険を低減することができる。これは装置１０が変位可能な脆弱な部品、特に部分２、４に取り付けられた可撓性ディスプレイを備えるときに特に有利である。
【００２６】
図１ａに示す装置１０の模式的に均等な機械的スキームが図１ｂに示されている。部分４ａは２つの異なる機械的に安定な位置（模式的に水平４ａと垂直４ｂとして図示されている）を有していてもよい。この部分はヒンジ３の周りを回転可能である。このように、弾性ロック部５は弾性ばね７に均等であると考えることができる。弾性ばね７はロックされたとき、または開いているときにポテンシャルエネルギーを貯蔵し、他の状態に移行されたときにそのエネルギーを放出するように構成されている。
【００２７】
図２ａは、弾性ロック部を備える本発明による装置の別の実施の形態の概略図を示す。装置２０は、本発明の例示的実施形態によると、第１の機械的に安定な位置２１、２２、特に［開］と、第２の機械的に安定な位置２１ａ、２２ａ、特に［閉］との間を移動される２つの相互に変位可能な部分を備える。［開］と［閉］以外の他の位置も同様に意図されている。変位可能な部分はヒンジ２３、２３ａの周りを回転する。好ましくは、ヒンジ２３、２３ａは弾性材料２５と協働するように構成されている。
【００２８】
図２ｂは図２ａの装置の別の概略図を示す。弾性材料２５、特にゴム等が適切な凸部２７と協働するように構成されている。凸部２７は、変位可能な部分２１、２２を、例えば部分２１が水平であるときは第１の機械的に安定な位置に、例えば部分２１ａが垂直であるときは第２の機械的に安定な位置にロックするように構成されている。図１ｂおよび図２ｂにおいて言及されている水平／垂直方向は単に説明する目的のために用いられているだけであり、何ら限定的に解釈されるべきではない。さらに、装置２０では、部分２１、２２を第１および第２の機械的に安定な位置同士の間を移行させるための機構２６，２７と協働する弾性ロック手段により、そのような移行のときに部分２１、２２に誘発される機械的な衝撃が実質的に減少される。この特長が特に有利であるのは、装置の脆弱な部品、例えば可撓性ディスプレイ等が部分２１、２２のいずれか一方または双方により支持されなければならないときである。
【００２９】
図３は、駆動モジュールを備える本発明による装置の一実施の形態の複数の概略図を示す。装置３０、特に携帯電話、システム手帳、パームトップコンピュータ等はカバーを備える。このカバーは第１の機械的に安定な位置３１（閉）と第２の機械的に安定な位置３２（開）との間を移動可能に構成されている。第１の機械的に安定な位置３１と第２の機械的に安定な位置３２はそれぞれ第１の観察位置と第２の観察位置を指す。カバー３２は折り畳み可能である−これは矢印で模式的に示されているとおりである。このカバーはさらに上述の機械的に安定な位置同士の間の適切な移行を可能にするように構成された機構３３，３５（ヒンジ）を備える。機構３３、３５は、ヒンジ３３、３５を中間位置から第１または第２の機械的に安定な位置へ駆動するためのモジュール３９を設けられている。モジュール３９はばね３７を備える。このばね３７は１つの機械的に安定な位置に対して圧縮することが可能であり、第２の機械的に安定な位置に対して弛緩させることが可能である。あるいはまた、ばねは機械的に安定な位置のいずれか一方または双方に対して圧縮可能であり、機械的に安定な位置同士の間の移行の際に弛緩可能であるようにしてもよい。さらにまた、ばねは第１の機械的に安定な位置３７ａに対して、および第２の機械的に安定な位置３７に対して弛緩させることができ、一方の機械的に安定な位置から他方の機械的に安定な位置への移行の間に圧縮可能であるようにしてもよい。好ましくは、ばね３７は圧縮動作を支援する１つ以上のバー３６，３８と協働する。図３の右側において、装置３０のＡ−Ａ線に沿う概略断面図を示す。ヒンジ３３はバー３６およびばねと協働するように構成されており、このばねは第１の機械的に安定な位置３７ａに対しておよび第２の機械的に安定な位置３７に対して弛緩させることができ、かつ第１の機械的に安定な位置と第２の機械的に安定な位置との間の移行の際に圧縮可能である。好ましくは、放出されたエネルギーはカバー３２の展開の方向に平行である。ばねは、例えばカバー３２の開状態に対して圧縮され、それによりカバー３２が実質的に一つの平面内に確実に向けられている。これは装置３０が脆弱な部品３４−特に可撓性ディスプレイと一緒に配設されているときに特に有利である。
【００３０】
図４は駆動モジュールを備える本発明による装置の別の実施の形態の概略図を示す。装置４０のこの特定の実施形態において、変位可能な部分４１、４２はヒンジ４４の周りに旋回可能である。部分４２は電子装置４０の可撓性ディスプレイ（図示しない）を支持するように構成されていてもよい。本発明によると、ヒンジ４４は弾性ロック手段４３、例えば捻りばねと協働するように構成されている。部分４１，４２は矢印によって模式的に示されているように相互に変位可能である。捻りばね４３を用いると、捻りばねが圧縮されたときに顕著な量のポテンシャル（弾性）エネルギーをヒンジ４４の周りに貯蔵することが可能である。そのような圧縮は、例えば装置４０が閉じており、従って部分４１、４２が相互に閉じているときに達成される。貯蔵されたポテンシャルエネルギーは装置４０が開いたときに使用される−捻りばね４３がエネルギーを放出し、第１の機械的に安定な位置から第２の機械的に安定な位置へのなめらかな移行が可能となる。この特定の例示的実施形態は滑らかな移行を可能にするための容易な手段を提供する。それにより部分４１または４２、あるいはそれらの双方に取り付けられた可撓性ディスプレイ（図示しない）のような脆弱な構造への機械的衝撃の可能性が最低限になる。
【００３１】
図５は、駆動モジュールを備える本発明による装置のまた別の実施形態の概略図を示す。この特定の実施形態では、好適な脆弱な構造、特に可撓性ディスプレイ等は明瞭性の理由で図示されていない。そのような可撓性ディスプレイは、一例として、好適なローラー５３上を転動される。ローラー５３は軸５３ａの周りを回転可能である。装置５０は機構５１ａ、５２ａを備える。この機構５１ａ、５２ａは可撓性ディスプレイを第１の機械的に安定な位置と第２の機械的に安定な位置との間を移行させるように構成されている。機構５１ａ、５２ａはそれ自体公知の、アームが矢印５１に示す方向に移動される双安定フレーム５６として実装することができる。このフレームはヒンジで連結されたバー５５ａを備える。ヒンジで連結されたバー５５ａは矢印５５に示される方向に変位可能である。フレーム５６は２つの機械的に安定な位置、すなわちアーム５１ａ、５２ａが相互に実質的に当接する閉じた位置と、アーム５１ａ、５２ａが相互にできるだけ離れて配置され、バー５５ａが完全に真っ直ぐになっている、完全に開いた位置とを有する。本発明によると、装置５０は弾性ロック部を備える。引張ばね５４をそのようなロック部として使用してもよい。さらに、引張ばね５４は、二重の機能を有していてもよい。すなわち、ばねはフレーム５６が第１または第２の機械的に安定な位置にあるときに適当量の弾性エネルギーを貯蔵し、フレーム５６がもう一つの機械的に安定な位置に移行しつつあるときに弾性エネルギーを放出するように構成される。好ましくは、脆弱な部品、とくに可撓性ディスプレイはローラーを駆動して回転させ脆弱構造を後退させる引張ばねの動作によりローラー５３の周りに巻き取られるが、これは捻りばねが若干のプレテンションを持つように構成されているときに達成することが可能である。フレーム５６内の引張ばね５４はローラー５３の引張ばねと協働するように構成することができる。これら２つのばねの間の相互作用によりフレーム５６の双安定位置決めの精度が改善され、それにより脆弱な構造、特に可撓性ディスプレイが展開位置において確実に平坦に保たれる。この特長により、不所望の曲げによる可撓性ディスプレイに対する損傷の危険が低減される。
【００３２】
図６はハウジング６１の周りを包むように構成された可撓性ディスプレイ６２を設けた装置の別の実施形態の概略図を示す。可撓性ディスプレイ６２はヒンジ６６と協働し、ディスプレイ６２が第１の機械的に安定な位置と第２の機械的に安定な位置とをとることが可能になる。構成６６、特にヒンジはディスプレイの一部分６２ａの、ディスプレイの他の部分６２ｂおよび／またはハウジング６１に対する複数の角度を可能にするために設けられている。好ましくは、装置６０はさらに照明部６４、特にランプを備える。このランプはディスプレイの一部分であって、照明部６４に実質的に隣接して配置された部分を証明するように構成されている。この特長はディスプレイ６２を、特に方向６５から観察する目的のためには特に有効である。ヒンジは図２ｂを参照して説明された実施形態に従って実装することができる。
【００３３】
図７は回転可能なディスプレイを設けた装置の一実施形態の概略図を示す。装置７０は好適なローラー７２を設けたハウジング７１を備える。ローラー７２上に可撓性電子ディスプレイ７５を巻きつけることが想定されている。機構７４は転動可能なディスプレイ７５をハウジング７１から延出可能である。ハウジング７３は好ましくはヒンジ７３を備える。このヒンジ７３は方向７７におけるディスプレイの好適な複数個の機械的に安定な位置を可能にするためのものである。好適なヒンジの例は図２ｂを参照して説明される。ディスプレイの観察は方向７６から可能である。
【００３４】
ディスプレイ７５の観察を実行するために、適切な光源が設けられている。この光源は外部に、例えばハウジング７１に設けることができる。好適な実施形態では、光源は斜めの角度でディスプレイ７５に光を当てるように構成されている。これはディスプレイ７５上に滑らかに照明された観察領域が提供されるという利点がある。
【００３５】
図８は複数のヒンジを設けた本発明による電子装置の別の実施形態の概略図を示す。装置８０はハウジング８１と、部分８２ａ、８２ｂ、８２ｃ、８２ｄを有するディスプレイとを備える。これらの部分はそれぞれのヒンジ８４ａ、８４ｂ、８４ｃ、８４ｄの間に収容されている。ディスプレイは方向８５から観察可能である。これらのヒンジは、図９に示すとおり、相互独立に操作することが可能である。ヒンジは図２ｂを参照して説明された実施形態に従って実装することができ、それによりハウジング８１に対する可撓性ディスプレイ（またはその一部）の複数個の角度が可能となる。
【００３６】
図９は複数のヒンジを設けた装置の別の実施形態の概略図を示す。装置９０はハウジング９１と、好適な複数のヒンジ９３ａ、９３ｂ、９３ｃ、９３ｄとを備える。これらのヒンジは、ａ）、ｂ）、またはｃ）に模式的に示したように、個別に操作してディスプレイのそれぞれの部分を相互独立に変位させることができる。ディスプレイは方向９５から観察可能である。ヒンジは、例えば図２ｂを参照して説明された実施形態に従って実装される。ハウジング９１も好適な複数の機械的に安定な位置に配置してもよい。例えば、ハウジング９１は位置９２へ傾けてハウジングとヒンジ９３ａおよび９３ｂの間の領域が好適な表面Ｓと接触するようにする。好ましくは、表面Ｓは水平方向に向いている。ハウジングがそのように傾いていることにより、適当なユーザー・インターフェースを用いて容易にデータ入力が可能となる。
【００３７】
図１０は本発明による装置の別の実施形態の概略図を示す。装置１００は部分１０１を備える。部分１０１は部分１０２に対して変位可能である。領域１０３は好適な弾性手段を配置するのに用いられる。好適な弾性手段は、特に、部分１０１の第１の機械的に安定な位置から部分１０１の第２の機械的に安定な位置への移行を可能にするためのばね１０４である。例えば、第１の機械的に安定な位置は装置１００の開状態に対応し、第２の機械的に安定な位置は装置の閉状態に対応する。第１の機械的に安定な位置と第２の機械的に安定な位置は、また、第１の観察位置と第２の観察位置とにそれぞれ対応させてもよい。弾性手段１０４の機能はさらに図１ａ、１ｂまたは３のいずれか一つを参照して説明されたものと同様である。
【００３８】
図１１は本発明による装置の別の実施形態の概略図を示す。装置１１０は第１の変位可能な部分１１２と第２の変位可能な部分１１４とを備える。これらは中央部分１１３により相互に連結されている。第１の部分１１２および第２の部分１１４は中央部分１１３の周りに矢印Ｄ１、Ｄ２に示される方向に変位可能である。電子装置１１０の可撓性ディスプレイ１１６は少なくとも部分１１２および１１４によって支持され、好ましくは中央部分１１３によっても支持される。装置１１０のハウジング（図示しない）に対してディスプレイの第１の機械的に安定な位置と第２の機械的に安定な位置を可能とするために、中央部分と協働する第１の部分と第２の部分の領域に好適な複数個の凹部１１２ａ，１１４ａが設けられる。図１１では模式的に末端領域ごとに一対の凹部が示されているが、任意の好適な複数個の凹部を設けることができる。後者の場合、ディスプレイの複数の観察位置を可能とすることができる。凹部１１２ａ、１１４ａは弾性体１１５、例えば弾性ばねと協働するように形成される。このばねは好適な材料、例えば金属の弾性ストライプとして設けることができる。眺望ＡおよびＢに示されるように、機械的に安定な位置において、ばねの端部１１５ａ、１１５ｂは凹部１１２ａ、１１４ａ内に入り込む。
【００３９】
図１２は本発明による装置の別の実施形態の概略図を示す。装置１２０は第１の部分１２１と、第２の部分１２２と、第１の部分１２１および第２の部分１２２と協働する中央部分１２３とを備える。ディスプレイ１２４は第１の部分１２１、第２の部分１２２および中央部分１２３により少なくとも部分的に支持されていてもよい。可撓性ディスプレイ１２４の装置１２０のハウジング（図示しない）に対する異なる角度を負担する第１の機械的に安定な位置と少なくとも第２の機械的に安定な位置とを可能とするために、中央部分には第１の部分１２１および第２の部分１２２の凹部と協働することが想定されている弾性ロッカーアーム１２３ａ、１２３ｂを設けることができる。第１の部分１２１および第２の部分１２２は、矢印Ｄ１およびＤ２に模式的に示されるように、中央部分１２３に対して変位可能である。眺望１２０ａはディスプレイ１２４が平坦であり、かつディスプレイ１２４の第１の機械的に安定な位置が到達されている構造を模式的に示す。眺望１２０ｂはディスプレイ１２４が曲げられ、かつディスプレイ１２４の第２の機械的に安定な位置が到達され、装置１２０のハウジングに対して異なる角度を有する構造を模式的に示す。実地上は、図１１および図１２を参照して説明された中央部分はハウジングの部分を形成してもよく、またはハウジング内に収容されてもよい。これは、中央部分に対するディスプレイの角度が異なると、そのままハウジングに対するディスプレイの角度が異なることを意味する。好適には、異なる観察モードにまたは異なる相互作用モード、例えばタッチ機能に関するタイピング、描画または仕事（ｕｎｄｅｒｔａｋｉｎｇ）動作のためにディスプレイの異なる角度が用いられる。
【００４０】
説明を明瞭にするために本発明による電子装置の特定の実施形態を個別に説明したが、分離された図を参照して説明された両立し得る特長の互換性も想定されている。特定の実施形態を説明したが、本発明は上述の説明とは異なる態様で実施することも可能である。上述の記載は説明のためであり、これに限定されない。当業者には明らかなように、上述の本発明に特許請求の範囲から逸脱することなく種々の変更を行うことができる。
【図１ａ】
2010530553.tif 000003
【図１ｂ】
2010530553.tif 000004
【図２ａ】
2010530553.tif 000005
【図２ｂ】
2010530553.tif 000006
【図３】
2010530553.tif 000007
【図４】
2010530553.tif 000008
【図５】
2010530553.tif 000009
【図６】
2010530553.tif 000010
【図７】
2010530553.tif 000011
【図８】
2010530553.tif 000012
【図９】
2010530553.tif 000013
【図１０】
2010530553.tif 000014
【図１１】
2010530553.tif 000015
【図１２】
2010530553.tif 000016
【国際調査報告】
2010530553.tif 000017
2010530553.tif 000018